(57)【要約】数字入力機能性を実現するために、他の目的のためにいずれにしろ設けられているナビゲーション入力エレメントを使用する。
2006515093.tif 000002
【特許請求の範囲】
【請求項１】
表示装置と、該表示装置に接続されたナビゲーション入力エレメントとを備える入力装置であって、前記ナビゲーション入力エレメントは少なくとも４つのトグル方向にトグル可能であり、数字入力機能性がナビゲーション入力エレメントによって実現されている、ことを特徴とする入力装置。
【請求項２】
請求項１記載の入力装置において、
符号入力機能性ナビゲーション入力エレメントによって実現されている。
【請求項３】
請求項１または２記載の入力装置において、
数字入力機能性はナビゲーション入力エレメントによって実現されており、
４つのトグル方向は２つの数字選択方向と、２つの制御方向を含み、
ナビゲーション入力エレメントを２つの数字選択方向の一方にトグルすることにより数字が選択可能であり、
複数の制御表示エレメントにそれぞれ１つの制御機能が割り当てられており、
制御機能には表示装置上でのそれぞれ定義された位置が割り当てられており、
ナビゲーション入力エレメントを２つの制御方向の一方にトグルすることにより、表示装置上で現在、制御方向に所定のように割り当てられた位置に表示される制御表示エレメントに割り当てられた制御機能がトリガされる。
【請求項４】
請求項1から3までのいずれか一項項記載の入力装置において、
ナビゲーション入力エレメントを数字選択方向にトグルすることにより、選択可能な数字の周期的スクロールが数字選択方向に相応する方向でトリガされる。
【請求項５】
請求項1から4までのいずれか1項記載の入力装置において、
スクロールは、数字シーケンスの数字が個別にマーカーによりシフトされるか、またはマーカーが数字シーケンスの数字の上をシフトされることにより実現され、
所定持続時間の間、マーカーによりマークされた数字は入力される。
【請求項６】
請求項1から5までのいずれか一項記載の入力装置において、
複数のトグル方向は第1の制御方向と第2の制御方向を含み、
第1の制御方向へのトグルによりマーカーの左にある符号が消去される。
【請求項７】
請求項1から6までのいずれか一項記載の入力装置において、
複数のトグル方向は第1の制御方向と第2の制御方向と含み、
第2の制御方向へのトグルによりオプションが表示される。
【請求項８】
請求項7記載の入力装置において、
オプションによって選択機能または記憶機能が選択可能である。
【請求項９】
請求項2から8までのいずれか一項記載の入力装置において、
符号入力機能性はナビゲーション入力エレメントにより実現されており、
4つのトグル方向は2つの符号セット選択方向と２つの制御方向を含み、
ナビゲーション入力エレメントを2つの符号セット選択方向の一方にトグルすることにより符号セットが選択可能である。
【請求項１０】
請求項9記載の入力装置において、
複数の制御表示エレメントにはそれぞれ1つの制御機能が割り当てられており、
1つの制御方向には表示装置上での所定の位置が割り当てられており、
ナビゲーション入力エレメントを2つの制御方向の一方にトグルすることにより、制御表示エレメントに割り当てられた制御機能がトリガされ、
表示装置上で現在、制御方向に所定のように割り当てられた位置に表示される制御表示エレメントに割り当てられた制御機能がトリガされる。
【請求項１１】
請求項9または10記載の入力装置において、
符号セットを選択した後、ナビゲーション入力エレメントを2つの制御方向の一方にトグルすることにより符号セットから1つの符号が選択可能である。
【請求項１２】
請求項9から11までのいずれか一項記載の入力装置において、
符号セットを選択した後、ナビゲーション入力エレメントを一方の制御方向にトグルすることにより、選択された符号セットから選択可能な符号が制御方向に相応する方向で消去される。
【請求項１３】
請求項12記載の入力装置において、
スクロールは、選択された符号セットの符号が個別にマーカーによりシフトされるか、またはマーカーが選択された符号セットの符号上でシフトされることにより実現され、
所定の持続時間、マーカーによりマークされた符号は入力される。
【請求項１４】
請求項1から13までのいずれか一項記載の入力装置において、
数字選択方向と符号セット選択方向とは同じである。
【請求項１５】
請求項1から14までのいずれか1項記載の入力装置を備える通信機器。
【請求項１６】
数字およびマーカーを表示するための表示装置と、複数のトグル方向にトグル可能なナビゲーション入力エレメントと、プロセッサ装置とを有する通信機器であって、
該プロセッサ装置は、数字入力機能性がナビゲーション入力エレメントにより実現されるよう構成されている。
【発明の詳細な説明】
【技術分野】
【０００１】
本発明は、入力装置および通信機器に関するものであり、とりわけナビゲーション入力エレメントを備える移動電話、無線電話または携帯コンピュータに関する。
【０００２】
移動通信分野での急速な技術開発は近年に、そこで使用される端末機器をますます小型化させている。
【０００３】
端末機器をますます小型化することにより、移動通信の分野だけでなく操作快適性の観点からも大きな問題が引き起こされる。なぜなら小型化された端末機器のケーシング表面が小さいため、機器の機能範囲に相応する数のキーを設けることがもはやできないからである。
【０００４】
この問題の公知の解決手段は、キーにさらに多重機能を割り当てるか、音声制御するか、またはキーを補充するため入力ホイールを設けることである。入力ホイールは表示面上で選択可能な符号をスクロールすることにより種々異なる情報を入力することができる。
【０００５】
さらに欧州特許願ＥＰ１０７１００６Ａ２から、ナビゲーション入力エレメントといわゆるソフトキーを、情報を電子機器に入力するために使用することが公知である。情報をソフトキーを介して入力するために通常は、機械的入力要素、例えばキーにこのキーの近傍にある表示領域が割り当てられる。動作状態に応じて、この定義された表示領域に種々異なる表示制御エレメントが表示され、これらの表示制御エレメントに制御機能が割り当てられている。入力エレメントを操作する際に、現在表示されている表示制御エレメントに割り当てられた制御機能がトリガされる。
【０００６】
本発明の課題は、ナビゲーション入力エレメントを使用して、相応の機器の入力装置に対して必要なケーシング面積をさらに低減することのできる手段を提供することである。
【０００７】
この課題は独立請求項記載の構成によって解決される。有利な改善形態は従属請求項に記載されている。本発明の枠内で通信機器の改善も入力装置の改善に相当する。
【０００８】
本発明により数字入力機能性もナビゲーション入力エレメントによって実現される。
【０００９】
このことにより、数字入力機能性を実現するために設けられた固有のキーボードを省略することができる。これにより通常はキーボードに対して数字入力機能性の実現のために設けられたケーシング面積を節約することができ、さらにこのキーボードに対するハードウエアコストと製造技術コストが削減される。
【００１０】
ここで入力装置は、走査装置とも称されるマン／マシンインタフェースとすることができる。
【００１１】
入力装置はとりわけプロセッサ装置を含むか、またはプロセッサ装置により制御される。
【００１２】
ナビゲーション入力エレメントは機械的トグルエレメント、とりわけ扁平に構成されたキーエレメントまたは制御レバーとすることができる。このキーエレメントないし制御レバーは複数のトグル方向に傾斜することができ、トグル後には自動的に再び静止位置に復帰するようエラスティックに支承されている。
【００１３】
本発明の改善形態により、ナビゲーション入力エレメントの直観的操作がとりわけ電話適用の枠内で可能となる。
【００１４】
本発明を以下、図面に基づき詳細に説明する。
図１は、操作装置を備える移動局のブロック回路図である。
図２は、数字入力を概略的に示す図である。
図３は、符号入力を概略的に示す図である。
【００１５】
図１は、通信機器として移動局ＭＳ，とりわけ携帯電話を示し、この携帯電話は操作装置ＭＭＩ、高周波装置ＨＦおよびプロセッサ装置ＰＥを含んでいる。操作装置ＭＭＩは、例えばグラフィックディスプレイである表示ユニットＤＰＬとナビゲーション入力エレメントＮＡＶを有する。
【００１６】
移動局ＭＳとりわけ操作装置ＭＭＩを制御するために、プログラム制御されるプロセッサ装置ＰＥ，例えばマイクロコントローラが設けられている。マイクロコントローラはまたプロセッサＣＰＵとメモリ装置ＳＰＥを有することができる。メモリ装置ＳＰＥには、例えば移動局と操作装置ＭＭＩを制御するために使用される制御命令または制御プロシージャと、制御表示エレメント、制御機能およびトグル方向の割り当て情報が記憶されている。
【００１７】
プロセッサ装置の種々のコンポーネントは、バスシステムＢＵＳまたは入出力インタフェースおよび場合により適切なコントローラを介して相互に、または移動局の別のコンポーネントとデータ交換する。移動局ないし操作装置を制御するために、および移動局の所定の機能と適用を実現するために、プロセッサ装置のコンポーネントおよびプロセッサ装置を相応にプログラミングすることは当業者であれば十分に公知である。
【００１８】
ここでプロセッサ装置は複数のプロセッサを有することのできるチップセットにより実現することもできる。このチップセットは操作装置または移動局の制御のために作製されたものである。
【００１９】
４つのトグル方向に傾斜可能なナビゲーション入力エレメントＮＡＶによって制御機能ないし符号セットの符号が選択され、または数字ないし数字セットが選択される。
【００２０】
円形で扁平なナビゲーション入力エレメントはその静止位置から、反対方向を指す２つの数字選択方向（数字入力モード）、ないし符号セット選択方向（符号入力モード）ｓｃｒｉ１，ｓｃｒｉ２、および反対方向を指す２つの制御方向ｓｔｒｉ１，ｓｔｒｉ２にトグルすることができる。数字選択方向ないし符号セット選択方向により定義された軸は、制御方向により定義された軸に対して垂直である。
【００２１】
しかしこのことは、ナビゲーション入力エレメントが、その中央から縁部方向を指すいずれの方向でもトグル可能であることを除外するものではない。
【００２２】
ここでナビゲーション入力エレメントの数字選択方向ないし符号セット選択方向または制御方向へのトグルは、それぞれの方向を中心に角度ｗｉｎで制限された角度領域にある方向へのトグルを含む（例としてｓｃｒｉ２に対して図示されている）。
【００２３】
制御レバーまたはナビゲーションキーとして実現されたナビゲーション入力エレメントを移動局ないし操作装置の制御に使用することは当業者には十分に公知であり、従ってここでは説明しない。
【００２４】
ナビゲーション入力エレメントを第１の制御方向ｓｔｒｉ１にトグルすることにより、第１の制御表示エレメントＡＮＺＥ１に割り当てられた制御機能がトリガされる。ナビゲーション入力エレメントを第２の制御方向ｓｔｒｉ２にトグルすることによって、第２の制御表示エレメントＡＮＺＥ２に割り当てられた制御機能がトリガされる。
【００２５】
移動局の現在の動作状態または現在のメニュー面に応じて、表示される制御表示エレメントは変化することができる。すなわちナビゲーション入力エレメントを制御方向にトグルすることによって、移動局の現在の動作状態または現在のメニュー面に応じて種々異なる制御機能をトリガすることができる。
【００２６】
例として以下図２に基づき数字入力のシナリオを説明する。
【００２７】
ナビゲーション入力エレメントを第１の制御方向にトグルした後、数字入力制御機能がトリガされる。これにより移動局は数字入力動作モードに切り替わり、呼び出すべきコール番号が入力される。
【００２８】
ナビゲーション入力エレメントを２つの数字選択方向ｓｃｒｉ１，ｓｃｒｉ２の一方にトグルすることによって、数字シーケンス０から９の入力可能なエレメントが選択された数字選択方向に相応してマーカーＭによりシフトないしスクロールされる。
【００２９】
ナビゲーション入力エレメントが所定の持続時間よりも長くその静止位置に留まれば、マーカーＭにより現在マークされている数字が入力される。これまでにすでに入力されているコール番号の部分「０５９」は一桁だけ左にシフトされるか、またはマーカーＭが一桁だけ右にシフトされる。
【００３０】
ナビゲーション入力エレメントを第１の制御方向ｓｔｒｉ１へトグルすることにより、最後に入力された数字、またはマーカーの左に存在する数字が消去される。この消去制御機能は第１の制御表示エレメントＡＮＺＥ１に相応し、この表示エレメントは文字「Ｃ」によりディスプレイの左下方枠に表示されている。
【００３１】
ナビゲーション入力エレメントを第２制御方向ｓｔｒｉ２にトグルすることにより、オプション起動制御機能がトリガされ、オプション「Ｄｉａｌ」ないし「Ｓａｖｅ」が表示される。それらの選択によりダイヤル制御機能ないしメモリ制御機能がトリガされる。これらのオプション起動制御機能は第２の制御表示エレメントＡＮＺＥ２に相応し、この表示エレメントは「Ｏｐｔｉｏｎ」によりディスプレイの右下枠に表示されている。
【００３２】
２つのオプションはスクロールにより選択することができ、これは２つの数字選択方向の一方にトグルすることによってトリガされる。オプションを選択した後、このオプションはナビゲーション入力エレメントを第２の制御方向ｓｔｒｉ２にトグルすることにより選択確定することができる。この選択確定はディスプレイＤＰＬの右下枠に表示された第２制御表示エレメントＡＮＺＥ２の「Ｓｅｌｅｃｔ」に相応する。
【００３３】
ナビゲーション入力エレメントを第１の制御方向ｓｔｒｉ１へトグルすることにより、数字入力動作モードへの戻る「Ｂａｃｋ」がトリガされる。
【００３４】
例として以下図３に基づき、符号入力のシナリオを説明する。
【００３５】
ナビゲーション入力エレメントを第１制御方向にトグルした後、符号入力制御機能がトリガされる。これにより移動局は符号入力モードに切り替えられ、符号シーケンスが入力される。
【００３６】
ナビゲーション入力エレメントを２つの符号セット選択方向ｓｃｒｉ１，ｓｃｒｉ２の一方にトグルすることにより、符号セットｂｓが選択された符号セット選択方向に相応して第１のマーカーＭ１によりシフトないしスクロールされる。
【００３７】
ナビゲーション入力エレメントが所定に持続時間よりも長くその静止位置に留まれば、現在第１のマーカーＭ１によりマークされた符号セット「８ｕｕｔ」が選択される。
【００３８】
引き続きナビゲーション入力エレメントを第２制御方向ｓｔｒｉ２にトグルすることにより、矢印シンボルｓｙｍ１に割り当てられた符号選択機能がトリガされる。
【００３９】
引き続きナビゲーション入力エレメントを第２制御方向ｓｔｒｉ２にトグルすることにより、第２マーカーＭ２が選択された符号セットの符号上でシフトされる。
【００４０】
ナビゲーション入力エレメントが所定の持続時間よりも長くその静止位置に留まれば、現在第２マーカーＭ２によりマークされている符号「８」が選択され、これまで入力されたテキストのマークされた個所ｐｏｓに挿入される。
【００４１】
ナビゲーション入力エレメントを第１制御方向ｓｔｒｉ１にトグルすることによって、最後に有力された符号またはマークされた個所ｐｏｓの左にある符号が消去される。この消去制御機能は、文字「Ｃ」によりディスプレイＤＰＬの左下枠に表示された第１制御表示エレメントＡＮＺＥ１に相応する。
【００４２】
上に説明した本発明の変形実施例の他にも多数の別の変形実施例が本発明の枠内にあり、ここではそれ以上説明しないが、説明した実施例に基づいて簡単に実現することができる。
【図面の簡単な説明】
【００４３】
【図１】図１は、操作装置を備える移動局のブロック回路図である。
【図２】図２は、数字入力を概略的に示す図である。
【図３】図３は、符号入力を概略的に示す図である。
【図１】
2006515093.tif 000003
【図２】
2006515093.tif 000004
【図３】
2006515093.tif 000005
【手続補正書】
【提出日】平成16年8月23日(2004.8.23)
【手続補正１】
【補正対象書類名】特許請求の範囲
【補正対象項目名】全文
【補正方法】変更
【補正の内容】
【特許請求の範囲】
【請求項１】
表示装置と、該表示装置と接続されており、少なくとも4つのトグル方向でトグル可能なナビゲーション入力エレメントとを有する入力装置であって、
数字入力機能性がナビゲーション入力エレメントにより実現されており、
4つのトグル方向は2つの数字選択方向と2つの制御方向を含み、
ナビゲーション入力エレメントを2つの数字選択方向の一方にトグルすることによって数字が選択可能であり、
複数の制御表示エレメントにそれぞれ1つの制御機能が割り当てられており、
1つの制御方向には表示装置上での所定の位置がそれぞれ割り当てられており、
ナビゲーション入力エレメントを一方の制御方向にトグルすることにより、表示装置上で現在、制御方向に所定のように割り当てられた位置に表示される制御表示エレメントに割り当てられた制御機能がトリガされる、ことを特徴とする入力装置。
【請求項２】
請求項1記載の入力装置において、
符号入力機能性がナビゲーション入力エレメントにより実現されている。
【請求項３】
請求項1または2記載の入力装置において、
ナビゲーション入力エレメントを数字選択方向にトグルすることにより、選択された数字が数字選択方向に相応する方向で周期的にスクロールされる。
【請求項４】
請求項1から3までのいずれか一項記載の入力装置において、
スクロールは、数字シーケンスの数字が個別にマーカーによりシフトされるか、またはマーカーが数字シーケンスの数字上でシフトされることにより実現されており、
所定の持続時間の間、マーカーによりマークされた数字は入力される。
【請求項５】
請求項1から4までのいずれか一項記載の入力装置において、
複数のトグル方向は第1の制御方向と第2の制御方向を含み、
第1の制御方向にトグルすることにより、マーカーの左にある符号が消去される。
【請求項６】
請求項1から5までのいずれか一項記載の入力装置において、
複数のトグル方向は第1の制御方向と第2の制御方向を含み、
第2の制御方向にトグルすることにより、オプションが表示される。
【請求項７】
請求項6記載の入力装置において、
オプションにより選択機能または記憶機能が選択可能である。
【請求項８】
請求項2から7までのいずれか一項記載の入力装置において、
符号入力機能性がナビゲーション入力エレメントにより実現されており、
4つのトグル方向は2つの符号セット選択方向と２つの制御方向を含み、
ナビゲーション入力エレメントを2つの符号セット選択方向の一方にトグルすることにより符号セットが選択可能である。
【請求項９】
請求項8記載の入力装置において、
複数の制御表示エレメントにそれぞれ1つの制御機能が割り当てられており、
1つの制御機能には表示装置上の所定の位置がそれぞれ割り当てられており、
ナビゲーション入力エレメントを2つの制御方向の一方にトグルすることにより、表示装置上で現在、制御機能に所定のように割り当てられた位置に表示される制御表示エレメントに割り当てられた制御機能がトリガされる。
【請求項１０】
請求項8または9記載の入力装置において、
符号セットを選択した後、ナビゲーション入力エレメントを2つの制御方向の一方にトグルすることにより符号セットから符号が選択可能である。
【請求項１１】
請求項8から10までのいずれか一項記載の入力装置において、
符号セットを選択した後、ナビゲーション入力エレメントを一方の制御方向にトグルすることにより、選択された符号セットから選択可能な符号が前記制御方向に相応する方向でスクロールされる。
【請求項１２】
請求項11記載の入力装置において、
スクロールは、選択された符号が個別にマーカーによりシフトされるか、またはマーカーが選択された符号セットの符号上をシフトされることにより実現されており、
所定の持続時間の間、マーカーによりマークされた符号は入力される。
【請求項１３】
請求項1から12までのいずれか一項記載の入力装置において、
数字選択方向と符号セット選択方向とは同じである。
【請求項１４】
請求項1から13までのいずれか一項記載の入力装置を有する通信機器。
【請求項１５】
数字およびマーカーを表示するための表示装置と、複数のトグル方向にトグル可能なナビゲーション入力エレメントと、プロセッサ装置とを有する通信機器であって、
該プロセッサ装置は、数字入力機能性がナビゲーション入力エレメントにより実現されるよう構成されている。
【国際調査報告】
2006515093.tif 000006
2006515093.tif 000007
2006515093.tif 000008
2006515093.tif 000009